【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
被試験物を配置する試験室と、冷却手段を有し、前記冷却手段は、主冷凍回路と、補助冷凍回路を有し、前記主冷凍回路及び前記補助冷凍回路は、いずれも圧縮機と、凝縮器と、膨張手段と、庫内蒸発器を有していて相変化する冷媒が循環するものであり、
前記主冷凍回路及び前記補助冷凍回路の前記庫内蒸発器は、前記試験室内または前記試験室に通じる位置に設けられており、
前記補助冷凍回路から分岐され、前記主冷凍回路の凝縮器から膨張手段に至るまでの間を通過する冷媒を冷却する冷媒冷却回路と、
当該冷媒冷却回路に流れる冷媒を断続及び／又は流量制御する冷媒制御手段を有し、
前記主冷凍回路及び／又は前記補助冷凍回路に冷媒を循環させて前記試験室内の温度を制御する通常運転と、前記主冷凍回路に冷媒を循環させると共に前記冷媒冷却回路に冷媒を通過させる過冷却運転を行うことが可能であり、
一定の条件に基づいて前記冷媒制御手段を動作させ、前記通常運転と過冷却運転を切り替える切り替え制御手段を有し、
前記試験室の温度と前記主冷凍回路に属する庫内蒸発器の表面温度の差が一定以下となった場合に、過冷却運転が行われることを特徴とする環境試験装置。
【請求項２】
被試験物を配置する試験室と、冷却手段を有し、前記冷却手段は、主冷凍回路と、補助冷凍回路を有し、前記主冷凍回路及び前記補助冷凍回路は、いずれも圧縮機と、凝縮器と、膨張手段と、庫内蒸発器を有していて相変化する冷媒が循環するものであり、
前記主冷凍回路及び前記補助冷凍回路の前記庫内蒸発器は、前記試験室内または前記試験室に通じる位置に設けられており、
前記補助冷凍回路から分岐され、前記主冷凍回路の凝縮器から膨張手段に至るまでの間を通過する冷媒を冷却する冷媒冷却回路と、
当該冷媒冷却回路に流れる冷媒を断続及び／又は流量制御する冷媒制御手段を有し、
前記主冷凍回路及び／又は前記補助冷凍回路に冷媒を循環させて前記試験室内の温度を制御する通常運転と、前記主冷凍回路に冷媒を循環させると共に前記冷媒冷却回路に冷媒を通過させる過冷却運転を行うことが可能であり、
一定の条件に基づいて前記冷媒制御手段を動作させ、前記通常運転と過冷却運転を切り替える切り替え制御手段を有し、
前記試験室の温度が一定温度以下になった場合に、過冷却運転が行われることを特徴とする環境試験装置。
【請求項３】
被試験物を配置する試験室と、冷却手段を有し、前記冷却手段は、主冷凍回路と、補助冷凍回路を有し、前記主冷凍回路は、圧縮機と、凝縮器と、膨張手段と、庫内蒸発器を有していて相変化する冷媒が循環するものであり、
前記主冷凍回路の前記庫内蒸発器は、前記試験室内または前記試験室に通じる位置に設けられており、
前記主冷凍回路の凝縮器から膨張手段に至るまでの間を通過する冷媒を冷却するものであって、前記補助冷凍回路の一部又は前記補助冷凍回路から分岐された回路によって構成された冷媒冷却回路を有し、
当該冷媒冷却回路に流れる冷媒を断続及び／又は流量制御する冷媒制御手段を有し、
前記主冷凍回路に冷媒を循環させて前記試験室内の温度を制御する通常運転と、前記主冷凍回路に冷媒を循環させると共に前記冷媒冷却回路に冷媒を通過させる過冷却運転を行うことが可能であり、
一定の条件に基づいて前記冷媒制御手段を動作させ、前記通常運転と過冷却運転を切り替える切り替え制御手段を有し、
前記試験室の温度と前記主冷凍回路に属する庫内蒸発器の表面温度の差が一定以下となった場合に、過冷却運転が行われることを特徴とする環境試験装置。
【請求項４】
被試験物を配置する試験室と、冷却手段を有し、前記冷却手段は、主冷凍回路と、補助冷凍回路を有し、前記主冷凍回路は、圧縮機と、凝縮器と、膨張手段と、庫内蒸発器を有していて相変化する冷媒が循環するものであり、
前記主冷凍回路の前記庫内蒸発器は、前記試験室内または前記試験室に通じる位置に設けられており、
前記主冷凍回路の凝縮器から膨張手段に至るまでの間を通過する冷媒を冷却するものであって、前記補助冷凍回路の一部又は前記補助冷凍回路から分岐された回路によって構成された冷媒冷却回路を有し、
当該冷媒冷却回路に流れる冷媒を断続及び／又は流量制御する冷媒制御手段を有し、
前記主冷凍回路に冷媒を循環させて前記試験室内の温度を制御する通常運転と、前記主冷凍回路に冷媒を循環させると共に前記冷媒冷却回路に冷媒を通過させる過冷却運転を行うことが可能であり、
一定の条件に基づいて前記冷媒制御手段を動作させ、前記通常運転と過冷却運転を切り替える切り替え制御手段を有し、
前記試験室の温度が一定温度以下になった場合に、過冷却運転が行われることを特徴とする環境試験装置。
【請求項５】
前記補助冷凍回路に属する圧縮機の容量は、前記主冷凍回路に属する圧縮機の容量よりも小さいことを特徴とする請求項１乃至４のいずれかに記載の環境試験装置。
【請求項６】
前記主冷凍回路は、冷媒の蒸発温度を調節可能であり、
前記試験室の温度低下に応じて蒸発温度を低下させ、前記試験室の温度が一定温度以下となったことを条件として通常運転から過冷却運転へ切り替えられることを特徴とする請求項１乃至５のいずれかに記載の環境試験装置。
【請求項７】
前記補助冷凍回路は、圧縮機と、凝縮器と、膨張手段と、庫内蒸発器を有していて相変化する冷媒が循環するものであり、
前記試験室内の温度が一定の中温以上であり、前記試験室の設定温度が一定の低温以下である場合には、
前記主冷凍回路と前記補助冷凍回路を駆動して前記主冷凍回路及び前記補助冷凍回路の庫内蒸発器に冷媒を通過させる急冷運転を実行し、
前記試験室内の温度低下に応じて前記双方の庫内蒸発器内における蒸発温度を低下させ、
その後に前記補助冷凍回路の庫内蒸発器に対する冷媒の供給を停止して過冷却運転に切り替え、
前記試験室内の温度が設定温度に達すると前記主冷凍回路だけで通常運転を行うことを特徴とする請求項１乃至６のいずれかに記載の環境試験装置。
【請求項８】
前記補助冷凍回路は、凝縮器から出た冷媒を圧縮機に戻すバイパス回路を有し、バイパス回路において前記補助冷凍回路の凝縮器から出た冷媒が前記補助冷凍回路の圧縮機から出た冷媒と熱交換され、過熱ガスとなって当該圧縮機に戻されることを特徴とする請求項１乃至７のいずれかに記載の環境試験装置。
【請求項９】
前記主冷凍回路は、当該主冷凍回路の凝縮器から出た冷媒を当該主冷凍回路の圧縮機に戻すバイパス回路を有し、当該バイパス回路において前記主冷凍回路の凝縮器から出た冷媒が前記主冷凍回路の圧縮機から出た冷媒と熱交換され、過熱ガスとなって当該圧縮機に戻されることを特徴とする請求項１乃至８のいずれかに記載の環境試験装置。
【請求項１０】
通常運転から過冷却運転に移行する切り替え手段及び／又は過冷却運転から通常運転に移行する切り替え手段を有することを特徴とする請求項１乃至９のいずれかに記載の環境試験装置。
【請求項１１】
前記試験室の設定温度を設定することが可能であり、設定温度及び／又は前記試験室の現状の温度に応じて通常運転と過冷却運転が切り替わることを特徴とする請求項１乃至１０のいずれかに記載の環境試験装置。
【請求項１２】
前記補助冷凍回路の運転を停止することが可能であることを特徴とする請求項１乃至１１のいずれかに記載の環境試験装置。
【手続補正２】
【補正対象書類名】明細書
【補正対象項目名】００２２
【補正方法】変更
【補正の内容】
【００２２】
上記した課題を解決するための請求項１に記載の発明は、被試験物を配置する試験室と、冷却手段を有し、前記冷却手段は、主冷凍回路と、補助冷凍回路を有し、前記主冷凍回路及び前記補助冷凍回路は、いずれも圧縮機と、凝縮器と、膨張手段と、庫内蒸発器を有していて相変化する冷媒が循環するものであり、前記主冷凍回路及び前記補助冷凍回路の前記庫内蒸発器は、前記試験室内または前記試験室に通じる位置に設けられており、前記補助冷凍回路から分岐され、前記主冷凍回路の凝縮器から膨張手段に至るまでの間を通過する冷媒を冷却する冷媒冷却回路と、当該冷媒冷却回路に流れる冷媒を断続及び／又は流量制御する冷媒制御手段を有し、前記主冷凍回路及び／又は前記補助冷凍回路に冷媒を循環させて前記試験室内の温度を制御する通常運転と、前記主冷凍回路に冷媒を循環させると共に前記冷媒冷却回路に冷媒を通過させる過冷却運転を行うことが可能であり、一定の条件に基づいて前記冷媒制御手段を動作させ、前記通常運転と過冷却運転を切り替える切り替え制御手段を有し、前記試験室の温度と前記主冷凍回路に属する庫内蒸発器の表面温度の差が一定以下となった場合に、過冷却運転が行われることを特徴とする環境試験装置である。
請求項２に記載の発明は、被試験物を配置する試験室と、冷却手段を有し、前記冷却手段は、主冷凍回路と、補助冷凍回路を有し、前記主冷凍回路及び前記補助冷凍回路は、いずれも圧縮機と、凝縮器と、膨張手段と、庫内蒸発器を有していて相変化する冷媒が循環するものであり、前記主冷凍回路及び前記補助冷凍回路の前記庫内蒸発器は、前記試験室内または前記試験室に通じる位置に設けられており、前記補助冷凍回路から分岐され、前記主冷凍回路の凝縮器から膨張手段に至るまでの間を通過する冷媒を冷却する冷媒冷却回路と、当該冷媒冷却回路に流れる冷媒を断続及び／又は流量制御する冷媒制御手段を有し、前記主冷凍回路及び／又は前記補助冷凍回路に冷媒を循環させて前記試験室内の温度を制御する通常運転と、前記主冷凍回路に冷媒を循環させると共に前記冷媒冷却回路に冷媒を通過させる過冷却運転を行うことが可能であり、一定の条件に基づいて前記冷媒制御手段を動作させ、前記通常運転と過冷却運転を切り替える切り替え制御手段を有し、前記試験室の温度が一定温度以下になった場合に、過冷却運転が行われることを特徴とする環境試験装置である。
【手続補正３】
【補正対象書類名】明細書
【補正対象項目名】００２４
【補正方法】変更
【補正の内容】
【００２４】
同様の課題を解決するための請求項３に記載の発明は、被試験物を配置する試験室と、冷却手段を有し、前記冷却手段は、主冷凍回路と、補助冷凍回路を有し、前記主冷凍回路は、圧縮機と、凝縮器と、膨張手段と、庫内蒸発器を有していて相変化する冷媒が循環するものであり、前記主冷凍回路の前記庫内蒸発器は、前記試験室内または前記試験室に通じる位置に設けられており、前記主冷凍回路の凝縮器から膨張手段に至るまでの間を通過する冷媒を冷却するものであって、前記補助冷凍回路の一部又は前記補助冷凍回路から分岐された回路によって構成された冷媒冷却回路を有し、当該冷媒冷却回路に流れる冷媒を断続及び／又は流量制御する冷媒制御手段を有し、前記主冷凍回路に冷媒を循環させて前記試験室内の温度を制御する通常運転と、前記主冷凍回路に冷媒を循環させると共に前記冷媒冷却回路に冷媒を通過させる過冷却運転を行うことが可能であり、一定の条件に基づいて前記冷媒制御手段を動作させ、前記通常運転と過冷却運転を切り替える切り替え制御手段を有し、前記試験室の温度と前記主冷凍回路に属する庫内蒸発器の表面温度の差が一定以下となった場合に、過冷却運転が行われることを特徴とする環境試験装置である。
請求項４に記載の発明は、被試験物を配置する試験室と、冷却手段を有し、前記冷却手段は、主冷凍回路と、補助冷凍回路を有し、前記主冷凍回路は、圧縮機と、凝縮器と、膨張手段と、庫内蒸発器を有していて相変化する冷媒が循環するものであり、前記主冷凍回路の前記庫内蒸発器は、前記試験室内または前記試験室に通じる位置に設けられており、前記主冷凍回路の凝縮器から膨張手段に至るまでの間を通過する冷媒を冷却するものであって、前記補助冷凍回路の一部又は前記補助冷凍回路から分岐された回路によって構成された冷媒冷却回路を有し、当該冷媒冷却回路に流れる冷媒を断続及び／又は流量制御する冷媒制御手段を有し、前記主冷凍回路に冷媒を循環させて前記試験室内の温度を制御する通常運転と、前記主冷凍回路に冷媒を循環させると共に前記冷媒冷却回路に冷媒を通過させる過冷却運転を行うことが可能であり、一定の条件に基づいて前記冷媒制御手段を動作させ、前記通常運転と過冷却運転を切り替える切り替え制御手段を有し、前記試験室の温度が一定温度以下になった場合に、過冷却運転が行われることを特徴とする環境試験装置である。
【手続補正４】
【補正対象書類名】明細書
【補正対象項目名】００２５
【補正方法】変更
【補正の内容】
【００２５】
請求項５に記載の発明は、前記補助冷凍回路に属する圧縮機の容量は、前記主冷凍回路に属する圧縮機の容量よりも小さいことを特徴とする請求項１乃至４のいずれかに記載の環境試験装置である。
【手続補正５】
【補正対象書類名】明細書
【補正対象項目名】００２７
【補正方法】変更
【補正の内容】
【００２７】
請求項６に記載の発明は、前記主冷凍回路は、冷媒の蒸発温度を調節可能であり、前記試験室の温度低下に応じて蒸発温度を低下させ、前記試験室の温度が一定温度以下となったことを条件として通常運転から過冷却運転へ切り替えられることを特徴とする請求項１乃至５のいずれかに記載の環境試験装置である。
【手続補正６】
【補正対象書類名】明細書
【補正対象項目名】００２９
【補正方法】変更
【補正の内容】
【００２９】
請求項７に記載の発明は、前記補助冷凍回路は、圧縮機と、凝縮器と、膨張手段と、庫内蒸発器を有していて相変化する冷媒が循環するものであり、前記試験室内の温度が一定の中温以上であり、前記試験室の設定温度が一定の低温以下である場合には、前記主冷凍回路と前記補助冷凍回路を駆動して前記主冷凍回路及び前記補助冷凍回路の庫内蒸発器に冷媒を通過させる急冷運転を実行し、前記試験室内の温度低下に応じて前記双方の庫内蒸発器内における蒸発温度を低下させ、その後に前記補助冷凍回路の庫内蒸発器に対する冷媒の供給を停止して過冷却運転に切り替え、前記試験室内の温度が設定温度に達すると前記主冷凍回路だけで通常運転を行うことを特徴とする請求項１乃至６のいずれかに記載の環境試験装置である。
【手続補正７】
【補正対象書類名】明細書
【補正対象項目名】００３１
【補正方法】変更
【補正の内容】
【００３１】
請求項８に記載の発明は、前記補助冷凍回路は、凝縮器から出た冷媒を圧縮機に戻すバイパス回路を有し、バイパス回路において前記補助冷凍回路の凝縮器から出た冷媒が前記補助冷凍回路の圧縮機から出た冷媒と熱交換され、過熱ガスとなって当該圧縮機に戻されることを特徴とする請求項１乃至７のいずれかに記載の環境試験装置である。
【手続補正８】
【補正対象書類名】明細書
【補正対象項目名】００３３
【補正方法】変更
【補正の内容】
【００３３】
請求項９に記載の発明は、前記主冷凍回路は、当該主冷凍回路の凝縮器から出た冷媒を当該主冷凍回路の圧縮機に戻すバイパス回路を有し、当該バイパス回路において前記主冷凍回路の凝縮器から出た冷媒が前記主冷凍回路の圧縮機から出た冷媒と熱交換され、過熱ガスとなって当該圧縮機に戻されることを特徴とする請求項１乃至８のいずれかに記載の環境試験装置である。
【手続補正９】
【補正対象書類名】明細書
【補正対象項目名】００３５
【補正方法】変更
【補正の内容】
【００３５】
請求項１０に記載の発明は、通常運転から過冷却運転に移行する切り替え手段及び／又は過冷却運転から通常運転に移行する切り替え手段を有することを特徴とする請求項１乃至９のいずれかに記載の環境試験装置である。
【手続補正１０】
【補正対象書類名】明細書
【補正対象項目名】００３７
【補正方法】変更
【補正の内容】
【００３７】
請求項１１に記載の発明は、前記試験室の設定温度を設定することが可能であり、設定温度及び／又は前記試験室の現状の温度に応じて通常運転と過冷却運転が切り替わることを特徴とする請求項１乃至１０のいずれかに記載の環境試験装置である。
【手続補正１１】
【補正対象書類名】明細書
【補正対象項目名】００３９
【補正方法】変更
【補正の内容】
【００３９】
請求項１２に記載の発明は、前記補助冷凍回路の運転を停止することが可能であることを特徴とする請求項１乃至１１のいずれかに記載の環境試験装置である。